(57)【要約】      （修正有）【課題】建物のコンクリート床上に碁盤の目状に敷き詰められ、四隅を一定高さの支持脚に支持されてフリーアクセスフロアーを形成する床パネルを提供する。【解決手段】底面板２は、底壁２ｃに上向きに突出して上面板１を支持するドーム状突起４を有し、各ドーム状突起４…と上面板１との各接点は、かしめ接合部５により結合されている。前記底面板２の周辺部のフランジ部のうち幅寸法が狭いコーナーフランジ部２ａ’の範囲では上面板１の外周縁部を下方へ約１８０度折り曲げたハゼ折り６により底面板２をかしめた接合部によって結合が行われている。他のフランジ部２ａは幅寸法を広く形成され、大径のかしめ接合部５により上面板１と結合されている。前記幅寸法を広く形成されたフランジ部２ａのほぼ全長にわたり上面板１の外周縁部を下方へ約９０度折り曲げたリブ１１が形成されている。【選択図】図１
2005179971.tif 000002
【特許請求の範囲】
【請求項１】
平面的に見た外形が矩形状で、鋼板製の上面板と底面板を結合して成り、対向する二つの辺の中央部に配線引き出し用の開口部を有するフリーアクセスフロアー用床パネルにおいて、
前記底面板は、周辺部に上面板の裏面に当接する水平で平坦なフランジ部を有し、該フランジ部の内方位置から連続して略垂直下方に屈曲された周側壁が形成され、更に水平方向の内方へ連続して屈曲された底壁を有し、該底壁には上向きに突出して上面板を支持するドーム状突起が多数形成され、各ドーム状突起と上面板との各接点は、上面板から底面板に向かって押し込み深絞りして上面板に窪みを、底面板の側に突き出る突起をそれぞれ形成して成る大径のかしめ接合部により結合されており、
前記底面板の周辺部のフランジ部のうち隅角部から一辺の長さの１／６程度の長さ範囲は幅寸法が狭いコーナーフランジ部とされ、このコーナーフランジ部の範囲では上面板の外周縁部を下方へ約１８０度折り曲げたハゼ折りにより底面板をかしめた接合部によって結合が行われており、
前記底面板の他のフランジ部は幅寸法を広く形成され、このフランジ部のうち前記開口部周辺を除く部位は、上面板から底面板に向かって押し込み深絞りして上面板に窪みを、底面板の側に突き出る突起を形成して成る大径のかしめ接合部により上面板と結合されており、開口部周辺のフランジ部は、上面板から底面板に向かって押し込み深絞りして上面板に窪みを、底面板の側に突き出る突起をそれぞれ形成して成る小径のかしめ接合部により上面板と結合されており、且つ前記幅寸法を広く形成されたフランジ部のほぼ全長にわたり上面板の外周縁部を下方へ約９０度折り曲げたリブが形成されており、
前記上面板は平坦な鋼板から成り、その隅角部には前記平坦面から若干の段差で垂れ下がった形状の支持脚係合部材受部が形成され、底面板の隅角部には前記支持脚係合部材受部の垂れ下がりを許容する円弧状の切り欠き部が形成されていることを特徴とする、フリーアクセスフロアー用床パネル。
【請求項２】
前記底面板の前記底壁における前記ドーム状突起の間の位置、及び周側壁に塗料の浸入及び排出用の孔が複数個設けられていることを特徴とする、請求項１に記載したフリーアクセスフロアー用床パネル。
【発明の詳細な説明】
【技術分野】
【０００１】
この発明は、平面的に見た外形が矩形状（通例、正方形）で、鋼板製の上面板と底面板を結合して構成され、その周辺部（通例、辺中央部）に配線引き出し用の開口部を有し、建物のコンクリート床上に碁盤の目状に敷き詰められ、四隅を一定高さの支持脚に支持されてフリーアクセスフロアーを形成する床パネルの技術分野に属する。
【背景技術】
【０００２】
従来のフリーアクセスフロアー用床パネル、特に周辺部に配線引き出し用の開口部を有するフリーアクセスフロアー用床パネルは、例えば下記の特許文献１に記載されて公知である。同公報の図２に記載された床パネルは、対向する二つの辺の中央部に１個ずつ配線引き出し用の開口部を有する構成である。更に言うと、この床パネルは、鋼板製の上面板と底面板の内部（中空部）に無機質充填材を注入し、両板の全周を、上面板の外周縁を約１８０度折り返した所謂ハゼ折りにより結合した構成とされている。
特許文献２に記載されたフリーアクセスフロアー用床パネルも対向する二つの辺に１個ずつ配線引き出し用の開口部を有する構成であり、鋼板製の上面板と底面板を結合して成るが、底面板に上向きに突出して上面板を支持する半球状のドーム状突起を設け、上面板とドーム状突起とはバーリングかしめで結合されている。上面板と底面板の内部には吸音ボードを収納せしめ、両板の全周を折り曲げ締結して構成されている。
【０００３】
特許文献３に記載されたフリーアクセスフロアー用床パネルは、やはり対向する二つの辺に１個ずつ配線引き出し用の開口部を有する構成であり、鋼板製の上面板と底面板を結合して成る。平坦な上面板に対して、底面板は周辺部にフランジ部を有し、同フランジ部から連続して垂直下方に屈曲した周側壁、及び更に連続して水平方向内向きに屈曲した底壁を有して浅い容器状をなす。上面板と底面板の中空部内にパーチクルボードのようなコアー材を嵌め込むと共に該コアー材と上面板および底面板とを接着剤により接着し、更に上面板の外周縁を底面板の下面側へ約１８０度折り曲げたヘミング加工により結合した構成とされている。
【０００４】
特許文献４に記載されたフリーアクセスフロアー用床パネルは、配線引き出し用の開口部を有しないけれども、底面板は、周辺部に平坦なフランジ部を有し、該フランジ部から連続して略垂直下方に屈曲された周側壁を有し、更に水平方向内方へ連続して屈曲された底壁を有する。底壁には上向きに半球状に突出して上面板を支持するドーム状突起が多数形成され、ドーム状突起と上面板との各接点は予めドーム状突起の頂部に形成された孔又はスリットを貫通した貫通先端部を加圧して横へ拡大し抜け止めを施したかしめ状の連結部で結合されている。また、底面板の四周のフランジ部も予め同フランジ部に形成された孔又はスリットを貫通した貫通先端部を加圧して横へ拡大し抜け止めを施したかしめ状の連結部で結合すると共に、上面板の外周縁部を下方へ約９０度折り曲げたリブ状部分で曲げ強度を得る構成が開示されている。
【０００５】
【特許文献１】特開平４−２７７２５５号公報
【特許文献２】特開平１１−１３１７６７号公報
【特許文献３】特開平１１−２５６８０６号公報
【特許文献４】特開２００２−８９０２１号公報
【発明の開示】
【発明が解決しようとする課題】
【０００６】
床パネルは、建物のコンクリート床上に碁盤の目状に敷き詰められ、四隅を一定高さの支持脚に支持されて床下に配線用空間を持つフリーアクセスフロアーを形成する資材であるから、第一には床パネルの上に加わる静的及び動的な上載荷重に対して充分に大きな強度及び剛性を発揮することが要請される。その上で、製造が容易で使い勝手が良く、安価であることも望まれる。
こうした観点によれば、上記特許文献１記載の床パネルは、上面板と底面板の内部（中空部）に無機質充填材を注入し、両板の全周は、上面板の外周縁を約１８０度折り返した所謂ハゼ折りにより結合しただけの構成であるため、上載荷重に対して上面板と底面板の重ね合わせ部に剪断滑りを生じやすく、曲げ剛性が低いので、撓みを発生しやすい問題点が認められる。
【０００７】
特許文献２に記載された床パネルは、底面板に上向きに突出して上面板を支持する半球状のドーム状突起を設け、上面板とドーム状突起とはバーリングかしめで結合されているので、同部分の曲げ剛性は大きくなっている。しかし、上面板と底面板のフランジ部を重ね合わせた周辺部は全周を折り曲げ締結としただけなので、この部分では依然として剪断滑りを生じやすく、曲げ剛性が低いので、撓みを生じやすい難点が認められる。
【０００８】
特許文献３に記載された床パネルも、上面板と底面板をその中空部内に嵌め込んだパーチクルボードのようなコアー材と接着剤により接着し、更に上面板の外周縁を底面板の下面側へ約１８０度折り曲げたヘミング加工により結合したにすぎぬ構成であるから、やはり剪断滑りを生じやすく、曲げ剛性が低いので、撓みを生じやすい難点が認められる。
【０００９】
特許文献４に記載された床パネルは、配線引き出し用の開口部を有しないけれども、底面板は、底壁のドーム状突起を上面板との各接点において予めドーム状突起の頂部に形成された孔又はスリットを貫通した貫通先端部を加圧して横へ拡大し抜け止めを施したかしめ状の連結部で結合し、また、底面板の四周のフランジ部も予め同フランジ部に形成された孔又はスリットを貫通した貫通先端部を加圧して横へ拡大し抜け止めを施したかしめ状の連結部で結合し、更に上面板の外周縁部を下方へ約９０度折り曲げたリブ状部分で曲げ強度を得る構成であるから、静的及び動的な上載荷重に対して大きな強度及び剛性を有するであろうことは認められる。しかし、かしめ状の連結部は、予めドーム状突起の頂部に孔又はスリットを形成する工程と、その孔又はスリットへ上面板の側から貫通先端部を貫通させ、加圧して横へ拡大し抜け止めを施す工程を経ることを要し、工程数と時間がかかり、生産性が低いのでコスト高となることを否めない。しかも上面板の四周の外周縁部を下方へ約９０度折り曲げたリブ状部分で曲げ強度と剛性を得る構成であるから、リブ状部分の存在自体が、床パネルの四隅を一定高さの支持脚に支持させる場合の邪魔物、障害物となり、敷設施工上の使い勝手が悪いという問題点もある。
【００１０】
本発明の目的は、床パネルの上に加わる静的及び動的な上載荷重に対して充分に大きな強度及び剛性を発揮する構成とし、しかも製造工程が少なくて生産性に優れ、安価で、床パネルの四隅を一定高さの支持脚に支持させて敷設する場合の使い勝手が良いフリーアクセスフロアー用床パネルを提供することである。
【課題を解決するための手段】
【００１１】
上記従来技術の課題を解決するための手段として、請求項１に記載した発明に係るフリーアクセスフロアー用床パネルは、
平面的に見た外形が矩形状で、鋼板製の上面板１と底面板２を結合して成り、対向する二つの辺の中央部に配線引き出し用の開口部３を有するフリーアクセスフロアー用床パネルにおいて、
前記底面板２は、周辺部に上面板１の裏面に当接する水平で平坦なフランジ部２ａを有し、該フランジ部２ａの内方位置から連続して略垂直下方に屈曲された周側壁２ｂが形成され、更に水平方向の内方へ連続して屈曲された底壁２ｃを有し、該底壁２ｃには上向きに突出して上面板１を支持するドーム状突起４が多数形成され、各ドーム状突起４…と上面板１との各接点は、上面板１から底面板２に向かって押し込み深絞りして上面板１に窪みを、底面板２の側に突き出る突起をそれぞれ形成して成る大径のかしめ接合部５により結合されており、
前記底面板２の周辺部のフランジ部のうち隅角部から一辺の長さの１／６程度の長さ範囲は幅寸法が狭いコーナーフランジ部２ａ’とされ、このコーナーフランジ部２ａ’の範囲では上面板１の外周縁部を下方へ約１８０度折り曲げたハゼ折り６により底面板２をかしめた接合部によって結合が行われており、
前記底面板２の他のフランジ部２ａは幅寸法を広く形成され、このフランジ部２ａのうち前記開口部３周辺を除く部位は、上面板１から底面板２に向かって押し込み深絞りして上面板１に窪みを、底面板２の側に突き出る突起を形成して成る大径のかしめ接合部５により上面板１と結合されており、開口部３周辺のフランジ部２ａは、上面板１から底面板２に向かって押し込み深絞りして上面板１に窪みを、底面板２の側に突き出る突起をそれぞれ形成して成る小径のかしめ接合部５’により上面板１と結合されており、且つ前記幅寸法を広く形成されたフランジ部２ａのほぼ全長にわたり上面板１の外周縁部を下方へ約９０度折り曲げたリブ１１が形成されており、
前記上面板１は平坦な鋼板から成り、その隅角部には前記平坦面から若干の段差で垂れ下がった形状の支持脚係合部材受部８が形成され、底面板２の隅角部には前記支持脚係合部材受部８の垂れ下がりを許容する円弧状の切り欠き部９が形成されていることを特徴とする。
【００１２】
請求項２に記載した発明は、請求項１に記載したフリーアクセスフロアー用床パネルにおいて、
前記底面板２の前記底壁２ｃにおける前記ドーム状突起４…の間の位置、および周側壁２ｂに塗料の浸入及び排出用の孔１２が複数個設けられていることを特徴とする。
【発明の効果】
【００１３】
請求項１、２に記載した発明に係るフリーアクセスフロアー用床パネルは、底面板２のドーム状突起４と上面板１との各接点をワンショットの大径のかしめ接合５により結合され、また、底面板２の周辺部の幅寸法を少し広く形成したフランジ部２ａも場所に応じて複数の大径及び小径でワンショットのかしめ接合部５及び５’により上面板１と必要充分に結合されているので、当該床パネルの上に加わる静的及び動的な上載荷重に対して充分に大きな強度及び剛性を発揮し、撓みを発生する度合いも問題にならない。のみならず、生産性に優れ、コストダウンに有利である。
また、底面板２の四隅のフランジ部のうち隅角部から辺の長さの１／６程度の長さ範囲を幅寸法が狭いコーナーフランジ部２ａ’とし、前記コーナーフランジ部２ａ’の範囲では上面板１の外周縁部を下方へ約１８０度折り曲げたハゼ折り６によって底面板２との結合が行われているから、当該床パネルの四隅を一定高さの支持脚の上に支持させる敷設施工に邪魔物、障害物がなく、施工上の使い勝手が良い。
しかも上記コーナーフランジ部２ａ’以外には、上面板１の外周縁部を下方へ約９０度折り曲げたリブ１１により補強されているので、上記かしめ接合部５及び５’と協働して上載荷重に対し充分に大きな強度及び剛性を発揮する。
【発明を実施するための最良の形態】
【００１４】
底面板２は、周辺部に上面板１の裏面に当接する水平で平坦なフランジ部２ａを有するものとし、このフランジ部２ａの内方位置から連続して略垂直下方に屈曲された周側壁２ｂを形成し、更に水平方向の内方へ連続して屈曲された底壁２ｃを有し、該底壁２ｃには上向きに突出して上面板１を支持するドーム状突起４を多数形成する。各ドーム状突起４…と上面板１との各接点は、上面板１から底面板２に向かって押し込み深絞りして上面板に窪みを、底面板２の側に突き出る突起をそれぞれ形成した大径のかしめ接合部５により結合する。
底面板２の周辺部のフランジ部のうち隅角部から一辺の長さの１／６程度の長さ範囲は幅寸法が狭いコーナーフランジ部２ａ’とし、このコーナーフランジ部２ａ’の範囲では上面板１の外周縁部を下方へ約１８０度折り曲げたハゼ折り６により底面板２をかしめた接合部によって結合を行なう。
前記底面板２の他のフランジ部２ａは幅寸法を広く形成し、このフランジ部２ａのうち前記開口部３の周辺を除く部位は、上面板１から底面板２に向かって押し込み深絞りして上面板に窪みを、底面板２の側に突き出る突起を形成した大径のかしめ接合部５により上面板１と結合する。開口部３の周辺のフランジ部２ａは、やはり上面板１から底面板２に向かって押し込み深絞りして上面板１に窪みを、底面板２の側に突き出る突起をそれぞれ形成した小径のかしめ接合部５’により上面板１と結合する。そして、前記幅寸法を広く形成されたフランジ部２ａのほぼ全長にわたり、上面板１の外周縁部を下方へ約９０度折り曲げたリブ１１を形成する。
前記上面板１は平坦な鋼板から成るものとし、その隅角部には前記平坦面から若干の段差で垂れ下がった形状の支持脚係合部材受部８を形成し、底面板２の隅角部には前記支持脚係合部材受部８の垂れ下がりを許容する円弧状の切り欠き部９を形成する。
【実施例１】
【００１５】
図１は、請求項１、２に記載した発明に係るフリーアクセスフロアー用床パネルの実施例を底面図として示す。このフリーアクセスフロアー用床パネルは、平面的に見た外形を、一辺の長さが５００mm程度の正方形とされている。図２〜図４で補足説明している通り、薄い鋼板製の上面板１と底面板２を結合して構成されており（図４を参照）、対向する二つの辺の中央部に配線引き出し用として間口９０mm、奥行き４５mm程度の矩形状をなす開口部３を１個ずつ有する。図示は省略したが、前記開口部３には、配線の終了後に、平面視を略同形に構成した専用の蓋板を装着してきっちり塞ぐことは既往技術である。
【００１６】
底面板２は、図４が分かりやすい通り、周辺部に上面板１の裏面に当接する平坦なフランジ部２ａを有する。このフランジ部２ａの内方位置から連続して略垂直下方に屈曲された周側壁２ｂが形成され、更に水平方向の内方へ連続して屈曲された底壁２ｃを有している。この底壁２ｃには上向きに半球状に突出して上面板１を支持するドーム状突起４…が図１に示すように規則的な配列で多数形成され、各ドーム状突起４の頂部と上面板１との各接点は、上面板１から底面板２に向かって押し込み深絞りして上面板１に窪みを、底面板２の側に突き出る突起を形成した大径のかしめ接合部５により結合されている。このかしめ接合部５の実施については、例えば特許第３０４８２８１号、実公平７−５６４３２号公報等に開示されたように２枚の鋼板をスポット的に押し込んで深絞りを行い、且つ圧縮により横方向へ拡大（拡径）させて結合するワンショット技術を好適に採用することができる。以上の接合構造により上面板１と底面板２の床板中央部分の一体性と剛性は確実に高められる。勿論、スポット溶接や複数ショット接合の技術に比して生産性も大幅に向上する。
【００１７】
上記底面板２の周辺部の平坦なフランジ部のうち、四隅の隅角部から一辺の長さの１／６程度の長さ範囲は幅寸法の狭いコーナーフランジ部２ａ’とされ、このコーナーフランジ部２ａ’の範囲では、図５および図６に示したように、上面板１の外周縁部を下方へ約１８０度折り曲げたハゼ折り６によって底面板２とかしめた接合部によって強固な結合が行われている。要するにこの種の床パネルは、フランジ部の幅寸法を狭くするほど上載荷重に対する強度および剛性が高くなるので、ハゼ折り６によって底面板２との結合を行うコーナーフランジ部２ａ’については、必要最小限度の幅寸法（実寸にして１０mm程度）に形成し、もって強度、剛性が大きい構成とした。と同時に、この四隅のコーナーフランジ部２ａ’は、図示することを省略した既往の支持脚の上に載せて支持させる際に支障のない平坦な構成（図６参照）としたのである。
【００１８】
因みに、この床パネルの隅角部（コーナーフランジ部２ａ’）を支持脚の上に載せて共通に支持させ、４枚の床パネルの交点部（隅角部）を１個の止めネジにより共通に締め付けて固定する交点固定型の構成で実施する場合には、図５と図７に示したように、平坦な鋼板である上面板１の隅角部に、前記平坦面から若干の段差で垂れ下がった形状の支持脚係合部材受部８が平面視で１／４円弧形状に形成され、この支持脚係合部材受部８の下面が支持脚の交点固定部の上に載る構成とされる。一方、底面板２の隅角部には、前記支持脚係合部材受部８の垂れ下がりを許容する円弧状の切り欠き部９が形成される。
【００１９】
次に、底面板２において、周辺部の上記コーナーフランジ部２ａ’を除いたフランジ部２ａは、幅寸法を少し広く形成される（実寸にして１２mm程度）。このフランジ部２ａのうち上記開口部３の周辺を除く部位は、上面板１から底面板２に向かって押し込み深絞りして上面板１に窪みを、底面板２の側に突き出る突起を形成した大径Ｄ（実寸外径にして８mm程度）のかしめ接合部５…により上面板１と強力に結合して一体化されている。また、前記開口部３の周辺のフランジ部は、同じく上面板１から底面板２に向かって押し込み深絞りして上面板１に窪みを、底面板２の側に突き出る突起を形成したやや小径ｄ（実寸外径にして６mm程度）のかしめ接合部５’…により上面板１と強力に結合して一体化されている。のみならず、前記幅寸法を広く形成されたフランジ部２ａのほぼ全長にわたり、上面板１の外周縁部を底面板２のフランジ部外端１０の外側から下方へ約９０度折り曲げたリブ１１を形成して補強されている。前記の構成は、図８及び図９に拡大して示したように、配線引き出し用開口部３の周辺部位でも例外なく同じである。つまり、フランジ部２ａの幅寸法はかしめ接合部５の直径Ｄを大に加工する目的で少し広いが、同フランジ部２ａは図１に示したように大小の複数のかしめ接合部５…及び５’…をかなり密なピッチで加工して上面板１と強力に一体化する結合を行うことにより、上載荷重に対する剪断滑りを完全に拘束して強度、剛性が高められ、更に前記リブ１１による補強、補剛の効果が相乗的に作用して、当該床パネルの上に加わる静的及び動的な上載荷重に対して充分に大きな強度及び剛性を発揮するのである。
因みに、上記コーナーフランジ部２ａ’を除くフランジ部２ａでは、配線引き出し用の開口部３の部位も含めて、支持脚の上に載せて支持させる目的はなく、前記リブ１１を形成して補強、補剛することに支障は全くないのである。
【００２０】
なお、本発明に係るフリーアクセスフロアー用床パネルには、底面板２の底壁２ｃにおけるドーム状突起４…の間の位置、及び周側壁２ｂに塗装のための塗料浸入用および排出用の大小の口径による孔１２…が塗装作業に必要な配置で必要数だけ設けられている（請求項２に記載した発明）。
【図面の簡単な説明】
【００２１】
【図１】本発明に係るフリーアクセスフロアー用床パネルの実施例を示した底面図である。
【図２】図１の床パネルの正面図である。
【図３】図１の床パネルの側面図である。
【図４】図１のIV−IV線拡大断面図である。
【図５】図１のＶ部の拡大図である。
【図６】図５のVI−VI線断面図である。
【図７】図５のVII−VII線断面図である。
【図８】図１のVIII部の拡大図である。
【図９】図８のIX−IX線断面図である。
【符号の説明】
【００２２】
１        上面板  
２        底面板
３        開口部
２ａ      フランジ部
２ｂ      周側壁
２ｃ      底壁
４        ドーム状突起
５、５’  かしめ接合部
２ａ’    コーナーフランジ部
６        ハゼ折り
１１      リブ
１２      孔
８        支持脚係合部材受部
９        切り欠き部
１０      フランジ部外端
【図１】
2005179971.tif 000003
【図２】
2005179971.tif 000004
【図３】
2005179971.tif 000005
【図４】
2005179971.tif 000006
【図５】
2005179971.tif 000007
【図６】
2005179971.tif 000008
【図７】
2005179971.tif 000009
【図８】
2005179971.tif 000010
【図９】
2005179971.tif 000011